(57)【特許請求の範囲】
【請求項１】
エアゾール容器本体のビード部の外周面に、バルブ装置を装着したマウンティングカップをクリンプするエアゾール容器であって、前記マウンティングカップの鉤状部に、ビード部に外側から当接する内側に丸め込んだカール部を形成すると共に、該カール部全体の先端に、分離具を係合するためのカール部の下端で外側に向かって折り返された係合部を形成したことを特徴とする分別廃棄可能な容器。
【請求項２】
ポンプ容器本体のビード部の外周面に、ポンプ装置を装着したマウンティングカップをクリンプするポンプ容器であって、前記マウンティングカップの鉤状部に、ビード部に外側から当接する内側に丸め込んだカール部を形成すると共に、該カール部全体の先端に、分離具を係合するためのカール部の下端で外側に向かって折り返された係合部を形成したことを特徴とする分別廃棄可能な容器。
【発明の詳細な説明】
【０００１】
【発明の属する技術分野】
この発明は、分別廃棄可能な容器に関し、さらに詳しくは容器を廃棄する際に、エアゾールまたはポンプ容器本体とマウンティングカップとを容易に分離できる分別廃棄可能な容器に関する。
【０００２】
【従来の技術】
従来の技術としては、図６に示すようなエアゾール容器があり、このエアゾール容器本体５０の開口部には、外方向に先端がカールされたビード部５１が形成され、このビード部５１には中央部にバルブ装置５２を装着したマウンティングカップ５３がクリンチされている。具体的には、マウンティングカップ５３の環状溝部５４の下方に連続する側面部５５を、クリンチ機のクリンチ爪５６で外方向に押し広げることにより、ビード部５１下方の内面壁５７に当接して、マウンティングカップ５３は、堅固にエアゾール容器本体の開口部にクリンチされている。
【０００３】
【発明が解決しようとする課題】
しかしながら、このような従来のエアゾール缶にあっては、エアゾール容器本体５０と、マウンティングカップ５３とが堅固に嵌合しているため、マウンティングカップ５３は、エアゾール容器本体５０の内部から受ける内圧に対しては十分に耐えることができるが、内容物がなくなった後に、容器を廃棄する場合において、マウンティングカップ５３をエアゾール容器本体５０から取り外す作業が頗る困難であるという欠点があった。このため、従来は容器本体に穴を開けただけで、バルブ装置５２の付いたマウンティングカップ５３を、エアゾール容器本体５０に嵌合したままの状態で廃棄されることが多かった。
【０００４】
しかし、近年、エアゾール容器のリサイクルが、エアゾール業界および消費者間において活発化するにつれて、バルブ装置５２およびマウンティングカップ５３と、エアゾール容器本体５０とを分離して廃棄することが要求されると共に、その廃棄の際には、バルブ装置５２およびマウンティングカップ５３の容易な取り外しと、分別回収が要求されるに至った。
【０００５】
この発明は、このような従来の課題に着目してなされたもので、エアゾール容器等の容器の廃棄の際に、バルブ装置またはポンプ装置を取り付けたマウンティングカップと、容器本体とを容易に分離できる、分別廃棄可能な容器を提供することを目的とする。
【０００６】
【課題を解決するための手段】
この課題を解決するため、この出願に係る第１発明は、エアゾール容器本体のビード部の外周面に、バルブ装置を装着したマウンティングカップをクリンプするエアゾール容器であって、前記マウンティングカップの鉤状部に、ビード部に外側から当接する内側に丸め込んだカール部を形成すると共に、該カール部全体の先端に、分離具を係合するためのカール部の下端で外側に向かって折り返された係合部を形成したことを特徴とする分別廃棄可能な容器である。また、第２発明は、ポンプ容器本体のビード部の外周面に、ポンプ装置を装着したマウンティングカップをクリンプするポンプ容器であって、前記マウンティングカップの鉤状部に、ビード部に外側から当接する内側に丸め込んだカール部を形成すると共に、該カール部全体の先端に、分離具を係合するためのカール部の下端で外側に向かって折り返された係合部を形成したことを特徴とする分別廃棄可能な容器である。
【０００７】
【発明の実施の形態】
次に、この発明の実施の形態を図面に基づいて説明する。図１および図２は、この出願に係る分別廃棄可能な容器の第１発明を示した図面である。図中、１はエアゾール容器本体、２はこのエアゾール容器本体１の開口に形成されたビード部２にクリンプされる、いわゆる王冠状のマウンティングカップ３である。そして、この王冠状のマウンティングカップ３の中央部には、バルブ装置４が装着されている。
【０００８】
王冠状のマウンティングカップ３の鉤状部５には、ビード部２に外側から当接できるように、内側に丸め込んだカール部６が形成されている。すなわち、このカール部６によって、マウンティングカップ３がビード部２に確実に係合されている。そして、このカール部６の先端には、カール部６の下端で外側に向って折返された係合部７が形成されている。この折返された係合部７の成形方法は、カール部６の下端が、金型あるいはロールによって絞り込まれることにより形成される。そして、絞り込まれたマウンティングカップ３は、王冠状を呈し、係合部７とエアゾール容器本体１の肩部９との間に、分離具８が挿入できる程度の隙間が形成される。なお、ビード部２と鉤状部５との間には、ガスケット１０が挿入されることにより、内容物の漏洩が防止されている。
【０００９】
次に、図３は、この出願に係る第１発明の他の実施の形態を示す一部切欠断面図である。この実施の態様の特徴は、バルブ装置４の外周縁が、ガスケット１０を介してビード２上に載置され、その上から王冠状のマウンティングカップ３をクリンプすることにより挟着されている点にある。その他は、図１および図２に示す第１発明の構成と同様である。
【００１０】
図４および図５は、この出願に係る第２発明を示した図面である。第１発明と構成が異なる点は、王冠状のマウンティングカップ３に支持されているのは、エアゾールのバルブ装置ではなく、ポンプ装置１３である。すなわち、本発明は通常のポンプ容器の分別廃棄にも利用できる。
【００１１】
次に、この発明の作用について説明する。この出願に係る分別廃棄可能な容器を廃棄する場合は、図１〜図３に示す実施の態様では、棒状の分離具８の先端を、係合部７と肩部９との隙間に挿入する。次に、棒状の分離具８の先端を支点として、分離具８を上方に持ち上げることにより、鉤状部５のカール部６および係合部７を、ビード部２から取り外すことができる。そして、エアゾール容器本体１から、バルブ装置４の付いた王冠状のマウンティングカップ３を分離することができる。また、図４および図５に示す実施の態様では、コイン状の分離具１２の端部を、係合部７と肩部９との隙間に挿入し、ポンプ容器本体１１からポンプ装置１３の付いた王冠状のマウンティングカップ３を分離することができる。なお、本発明は、エアゾール容器、ポンプ容器に限らず、詰め替え容器等の口部に取り付けられる、王冠状の蓋体にも応用できることはいうまでもない。
【００１２】
【発明の効果】
以上説明してきたように、この発明によれば、エアゾール容器、ポンプ容器等の容器本体から、バルブ装置、ポンプ装置の付いたマウンティングカップを、容易に取り外すことができるので、容器を廃棄する際に、分別廃棄が可能となる。
【図面の簡単な説明】
【図１】この出願に係る第１発明を示した一部切欠き断面図。
【図２】この出願に係る第１発明において、分離具を用いて王冠状のマウンティングカップを分離している状態を示す一部切欠き断面図。
【図３】この出願に係る第１発明の他の実施例を示した一部切欠き断面図。
【図４】この出願に係る第２発明を示した一部切欠き断面図。
【図５】この出願に係る第２発明において、分離具を用いて王冠状のマウンティングカップを分離している状態を示す一部切欠き断面図。
【図６】従来のマウンティングカップを、ビード部にクリンチした状態を示す拡大断面図。
【符号の説明】
１  エアゾール容器本体
２  ビード部
３  マウンティングカップ
４  バルブ装置
５  鉤状部
６  カール部
７  係合部
８  分離具
１１  ポンプ容器本体
１２  分離具
１３  ポンプ装置
【図１】
0003752633.tif 000002
【図２】
0003752633.tif 000003
【図３】
0003752633.tif 000004
【図４】
0003752633.tif 000005
【図５】
0003752633.tif 000006
【図６】
0003752633.tif 000007